【事件の表示】
　特願２０１３−１６４２３１「端末装置、エネルギーマネジメントシステム、表示制御方法、及び、プログラム」拒絶査定不服審判事件〔平成２７年　２月１９日出願公開、特開２０１５−　３５００９、請求項の数（１１）〕について、次のとおり審決する。
【結　論】
　原査定を取り消す。
　本願の発明は、特許すべきものとする。
【理　由】
第１．手続の経緯 
　本願は，平成２５年８月７日を出願日とする出願であって，平成２６年１０月２９日付けで拒絶理由通知がなされ，同年１２月２６日付けで意見書の提出とともに手続補正がなされ，平成２７年８月１９日付けで拒絶理由通知がなされ，同年１０月２１日付けで意見書の提出とともに手続補正がなされたが，平成２８年３月３１日付けで拒絶査定がなされ，これに対して同年５月３０日付けで拒絶査定不服審判請求がなされるとともに同日付けで手続補正がなされたものである。 
 　 
第２．平成２８年５月３０日付けの手続補正（以下，「本件補正」という。）の適否
１．本件補正後及び本件補正前の特許請求の範囲
（本件補正後）
「【請求項１】
　宅内に設置される複数の機器を制御するエネルギーマネジメントシステムについての情報を取得する取得部と，
　第１の表示領域に，前記取得部により取得された情報を表示し，第２の表示領域に，前記宅内における前記機器の設置場所に前記機器を表す画像を配置したレイアウト図を表示する表示部と，
　を備え，
　前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，
前記第１の表示領域に表示される
の概略内容を表す
　端末装置。
　　【請求項２】
　前記エネルギーマネジメントシステムについての情報には，前記特定の機器の動作状態を示す情報が含まれ，
　前記表示部は，前記第１の表示領域に，前記特定の機器の動作状態を示す情報を表示し，前記第２の表示領域に，前記特定の機器を表す画像を強調した前記レイアウト図を表示する，
　請求項１に記載の端末装置。
　　【請求項３】
　前記エネルギーマネジメントシステムについての情報には，ユーザによって設定された日時に前記特定の機器に所定の動作をさせるスケジュールが含まれ，
　前記表示部は，前記第１の表示領域に，前記スケジュールを表示し，前記第２の表示領域に，前記スケジュールによって設定された動作が行われる前記特定の機器を表す画像を強調した前記レイアウト図を表示する，
　請求項１に記載の端末装置。
　　【請求項４】
　前記エネルギーマネジメントシステムについての情報には，前記複数の機器に一括して動作させる情報が含まれ，
　前記表示部は，前記第１の表示領域に，前記複数の機器に一括して動作させる指示をユーザから受け付けるボタンを表示し，前記第２の表示領域に，前記一括して動作させる前記複数の機器を表す画像を強調した前記レイアウト図を表示する，
　請求項１に記載の端末装置。
　　【請求項５】
　前記エネルギーマネジメントシステムについての情報には，前記エネルギーマネジメントシステム全体による総消費電力量が含まれ，
　前記表示部は，前記第１の表示領域に，前記エネルギーマネジメントシステム全体による前記総消費電力量を表示し，前記第２の表示領域に，前記総消費電力量への寄与が多い順に予め決められた個数の前記特定の機器を表す画像を強調した前記レイアウト図を表示する，
　請求項１に記載の端末装置。
　　【請求項６】
　前記表示部は，前記ユーザによって設定された日時よりも第１の時間だけ前から前記ユーザによって設定された日時よりも第２の時間だけ後までの期間に含まれない日時には，第１の周期で前記第１の表示領域と前記第２の表示領域の表示を更新し，前記期間に含まれる日時には，前記第１の周期よりも短い第２の周期で前記第１の表示領域と前記第２の表示領域の表示を更新する，
　請求項３に記載の端末装置。
　　【請求項７】
　前記第１の表示領域の表示を更新させる指示をユーザから受け付け，前記第２の表示領域の表示を更新させる指示をユーザから受け付ける入力受付部を更に備え，
　前記表示部は，前記入力受付部により前記第１の表示領域の表示を更新させる指示が受け付けられると，前記第１の表示領域の表示を更新し，前記入力受付部により前記第２の表示領域の表示を更新させる指示が受け付けられると，前記第２の表示領域の表示を更新する，
　請求項１から６のいずれか１項に記載の端末装置。
　　【請求項８】
　前記入力受付部は，前記第２の表示領域の表示を拡大又は回転させる指示をユーザから更に受け付け，
　前記表示部は，前記入力受付部により前記第２の表示領域の表示を拡大又は回転させる指示が受け付けられると，前記第２の表示領域の表示を拡大又は回転する，
　請求項７に記載の端末装置。
　　【請求項９】
　宅内に設置される複数の機器を制御するエネルギーマネジメントシステムであって，
　前記エネルギーマネジメントシステムについての情報を取得する取得部と，
　第１の表示領域に，前記取得部により取得された情報を表示し，第２の表示領域に，前記宅内における前記機器の設置場所に前記機器を表す画像を配置したレイアウト図を表示する表示部と，
　を備え，
　前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，
前記第１の表示領域に表示される
の概略内容を表す
　エネルギーマネジメントシステム。
　　【請求項１０】
　取得部が，宅内に設置される複数の機器を制御するエネルギーマネジメントシステムについての情報を取得する取得ステップと，
　表示部が，第１の表示領域に，前記取得ステップにおいて取得された情報を表示し，第２の表示領域に，前記宅内における前記機器の設置場所に前記機器を表す画像を配置したレイアウト図を表示する表示ステップと，
　を備え，
　前記表示ステップでは，前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，
前記第１の表示領域に表示される
の概略内容を表す
　表示制御方法。
　　【請求項１１】
　コンピュータを，
　宅内に設置される複数の機器を制御するエネルギーマネジメントシステムについての情報を取得する取得部，
　第１の表示領域に，前記取得部により取得された情報を表示し，第２の表示領域に，前記宅内における前記機器の設置場所に前記機器を表す画像を配置したレイアウト図を表示する表示部，
　として機能させ，
　前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，
前記第１の表示領域に表示される
の概略内容を表す
　プログラム。」（なお，下線は補正箇所を示すものとして請求人が付加したものである。）
    　
（本件補正前）
「【請求項１】
　宅内に設置される複数の機器を制御するエネルギーマネジメントシステムについての情報を取得する取得部と，
　第１の表示領域に，前記取得部により取得された情報を表示し，第２の表示領域に，前記宅内における前記機器の設置場所に前記機器を表す画像を配置したレイアウト図を表示する表示部と，
　を備え，
　前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，前記特定の機器についての情報に基づくメッセージを結合させて表示する，
　端末装置。
　　【請求項２】
　前記エネルギーマネジメントシステムについての情報には，前記特定の機器の動作状態を示す情報が含まれ，
　前記表示部は，前記第１の表示領域に，前記特定の機器の動作状態を示す情報を表示し，前記第２の表示領域に，前記特定の機器を表す画像を強調した前記レイアウト図を表示する，
　請求項１に記載の端末装置。
　　【請求項３】
　前記エネルギーマネジメントシステムについての情報には，ユーザによって設定された日時に前記特定の機器に所定の動作をさせるスケジュールが含まれ，
　前記表示部は，前記第１の表示領域に，前記スケジュールを表示し，前記第２の表示領域に，前記スケジュールによって設定された動作が行われる前記特定の機器を表す画像を強調した前記レイアウト図を表示する，
　請求項１に記載の端末装置。
　　【請求項４】
　前記エネルギーマネジメントシステムについての情報には，前記複数の機器に一括して動作させる情報が含まれ，
　前記表示部は，前記第１の表示領域に，前記複数の機器に一括して動作させる指示をユーザから受け付けるボタンを表示し，前記第２の表示領域に，前記一括して動作させる前記複数の機器を表す画像を強調した前記レイアウト図を表示する，
　請求項１に記載の端末装置。
　　【請求項５】
　前記エネルギーマネジメントシステムについての情報には，前記エネルギーマネジメントシステム全体による総消費電力量が含まれ，
　前記表示部は，前記第１の表示領域に，前記エネルギーマネジメントシステム全体による前記総消費電力量を表示し，前記第２の表示領域に，前記総消費電力量への寄与が多い順に予め決められた個数の前記特定の機器を表す画像を強調した前記レイアウト図を表示する，
　請求項１に記載の端末装置。
　　【請求項６】
　前記表示部は，前記ユーザによって設定された日時よりも第１の時間だけ前から前記ユーザによって設定された日時よりも第２の時間だけ後までの期間に含まれない日時には，第１の周期で前記第１の表示領域と前記第２の表示領域の表示を更新し，前記期間に含まれる日時には，前記第１の周期よりも短い第２の周期で前記第１の表示領域と前記第２の表示領域の表示を更新する，
　請求項３に記載の端末装置。
　　【請求項７】
　前記第１の表示領域の表示を更新させる指示をユーザから受け付け，前記第２の表示領域の表示を更新させる指示をユーザから受け付ける入力受付部を更に備え，
　前記表示部は，前記入力受付部により前記第１の表示領域の表示を更新させる指示が受け付けられると，前記第１の表示領域の表示を更新し，前記入力受付部により前記第２の表示領域の表示を更新させる指示が受け付けられると，前記第２の表示領域の表示を更新する，
　請求項１から６のいずれか１項に記載の端末装置。
　　【請求項８】
　前記入力受付部は，前記第２の表示領域の表示を拡大又は回転させる指示をユーザから更に受け付け，
　前記表示部は，前記入力受付部により前記第２の表示領域の表示を拡大又は回転させる指示が受け付けられると，前記第２の表示領域の表示を拡大又は回転する，
　請求項７に記載の端末装置。
　　【請求項９】
　宅内に設置される複数の機器を制御するエネルギーマネジメントシステムであって，
　前記エネルギーマネジメントシステムについての情報を取得する取得部と，
　第１の表示領域に，前記取得部により取得された情報を表示し，第２の表示領域に，前記宅内における前記機器の設置場所に前記機器を表す画像を配置したレイアウト図を表示する表示部と，
　を備え，
　前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，前記特定の機器についての情報に基づくメッセージを結合させて表示する，
　エネルギーマネジメントシステム。
　　【請求項１０】
　取得部が，宅内に設置される複数の機器を制御するエネルギーマネジメントシステムについての情報を取得する取得ステップと，
　表示部が，第１の表示領域に，前記取得ステップにおいて取得された情報を表示し，第２の表示領域に，前記宅内における前記機器の設置場所に前記機器を表す画像を配置したレイアウト図を表示する表示ステップと，
　を備え，
　前記表示ステップでは，前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，前記特定の機器についての情報に基づくメッセージを結合させて表示する，
　表示制御方法。
　　【請求項１１】
　コンピュータを，
　宅内に設置される複数の機器を制御するエネルギーマネジメントシステムについての情報を取得する取得部，
　第１の表示領域に，前記取得部により取得された情報を表示し，第２の表示領域に，前記宅内における前記機器の設置場所に前記機器を表す画像を配置したレイアウト図を表示する表示部，
　として機能させ，
　前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，前記特定の機器についての情報に基づくメッセージを結合させて表示する，
　プログラム。」
    　
２．補正の内容
（１）請求項１について
　本件補正は，特許請求の範囲の請求項１を，
「前記特定の機器についての情報」について，「前記第１の表示領域に表示される」との事項を追加する補正（以下，「補正事項１」という。），
　また，「前記特定の機器についての情報に基づくメッセージ」について，「基づく」との事項を「概略内容を表す」との事項に変更する補正（以下，「補正事項２」という。）を含んでいる。
（２）請求項９について
　本件補正は，特許請求の範囲の請求項９を，
「前記特定の機器についての情報」について，「前記第１の表示領域に表示される」との事項を追加する補正（以下，「補正事項３」という。），
　また，「前記特定の機器についての情報に基づくメッセージ」について，「基づく」との事項を「概略内容を表す」との事項に変更する補正（以下，「補正事項４」という。）を含んでいる。
（３）請求項１０について
　本件補正は，特許請求の範囲の請求項１０を，
「前記特定の機器についての情報」について，「前記第１の表示領域に表示される」との事項を追加する補正（以下，「補正事項５」という。），
　また，「前記特定の機器についての情報に基づくメッセージ」について，「基づく」との事項を「概略内容を表す」との事項に変更する補正（以下，「補正事項６」という。）を含んでいる。
（４）請求項１１について
　本件補正は，特許請求の範囲の請求項１１を，
「前記特定の機器についての情報」について，「前記第１の表示領域に表示される」との事項を追加する補正（以下，「補正事項７」という。），
　また，「前記特定の機器についての情報に基づくメッセージ」について，「基づく」との事項を「概略内容を表す」との事項に変更する補正（以下，「補正事項８」という。）を含んでいる。
　　
３．補正の適否
（１）請求項１について
　本件補正による補正事項１は，請求項１に記載した発明を特定するために必要な事項である「前記特定の機器についての情報」について，明細書の第【０１１３】，【０１３０】段落等の記載に基づき「前記第１の表示領域に表示される」ものであるとの限定を付加するものである。
　また，本件補正による補正事項２は，請求項１に記載した発明を特定するために必要な事項である「前記特定の機器についての情報に基づくメッセージ」について，明細書の第【０１１３】，【０１３０】段落等の記載に基づき，上記「基づく」との事項をより具体的な「概略内容を表す」ものであることに限定するものである。
　そして，本件補正前の請求項１に記載された発明と本件補正後の請求項１に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項１に記載された発明（以下，「補正発明１」という。）が特許法第１７条の２第６項において準用する同法第１２６条第７項の規定に適合するか（特許出願の際独立して特許を受けることができるものであるか）について以下に検討する。
ア．引用例
（ア）原査定の拒絶の理由に引用された国際公開第２０１２／０７４０５３号（以下，「引用例１」という。）には，図面とともに，次の事項が記載されている。なお，下線は当審において付与したものである。
ａ．「[0041] ［実施の形態１］
＜ネットワークシステムの全体構成＞
　まず，本実施の形態に係るネットワークシステムの全体構成について説明する。図１は，本実施の形態に係るネットワークシステム１の全体構成を示す図である。
[0042]　図１を参照して，本実施の形態に係る
ネットワークシステム１は，たとえば，住宅やオフィスなどに設置される。ネットワークシステム１は，リビングルームに設置されるエアコン２００Ａと，リビングルームに設置されるテレビ２００Ｂと，リビングルームに設置されるカーテン開閉装置２００Ｃと，キッチンに設置される冷蔵庫２００Ｄと，ダイニングルームに設置されるライト２００Ｅなどの家電（電気機器）を含む
[0043]　
ネットワークシステム１は，太陽光発電装置２００Ｘ，バッテリー２００Ｙ，それらを制御するためのパワーコンディショナ２００Ｚを含む
[0044]
ネットワークシステム１は，家電２００Ａ〜２００Ｅ，太陽光発電装置２００Ｘ，バッテリー２００Ｙ，それらを制御するためのパワーコンディショナ２００Ｚなどを制御するためのホームコントローラ１００を含む。ホームコントローラ１００は，有線あるいは無線のネットワーク４０１を介して，家電２００Ａ〜２００Ｅ，太陽光発電装置２００Ｘ，バッテリー２００Ｙ，それらを制御するためのパワーコンディショナ２００Ｚなどとデータ通信が可能である
ｂ．「[0048]　図１および図２を参照して，本実施の形態に係る
ホームコントローラ１００は，ネットワーク４０１を介して，住宅に設置される複数の家電２００Ａ〜２００Ｅのそれぞれから，家電２００Ａ〜２００Ｅの消費電力や動作状態や入力された命令などを受信する
[0049]　ホームコントローラ１００は，受信した家電２００Ａ〜２００Ｅの消費電力や動作状態や入力された命令などを順次蓄積することによって，家電２００Ａ〜２００Ｅの消費電力が所定の条件を満たすか否かを判断する。本実施の形態に係るホームコントローラ１００は，消費電力および消費電力の積算値に基づいて，家電２００Ａ〜２００Ｅが使用中であるか不使用であるか，家電２００Ａ〜２００Ｅを使い過ぎであるか否か，を判断する。ホームコントローラ１００は，家電２００Ａ〜２００Ｅからの情報に基づいて，家電２００Ａ〜２００Ｅが故障中であるか否かを判断する。また，ホームコントローラ１００は，受信した家電２００Ａ〜２００Ｅの消費電力から住宅全体の消費電力を算出し表示し，またはパワーコンディショナ２００Ｚから住宅全体の消費電力を取得し表示する（図２参照）。
[0050]　ホームコントローラ１００は，家電２００Ａ〜２００Ｅに対応づけて（たとえば，間取り図上の家電２００Ａ〜２００Ｅが配置される位置に対応する箇所に），家電２００Ａ〜２００Ｅの状態をディスプレイ１０２に表示する。より詳細には，ホームコントローラ１００は，家電２００Ａ〜２００Ｅの各々が２つの以上の状態に該当する場合，以下の優先順位に基づいて状態を表示する。」
ｃ．「[0156]　
ホームコントローラ１００Ｃは，受信した家電２００Ａ〜２００Ｅの消費電力のデータを蓄積することによって，家電２００Ａ〜２００Ｅの消費電力量を所定期間にわたって累積加算し，累積加算した消費電力量の多い順に従って家電２００Ａ〜２００Ｅを順位付けする（以下，これをランキングという）。ホームコントローラ１００Ｃは，ランキングの情報の画面を表示する
ｄ．「[0205]　＜ランキングの画面遷移＞
　コントローラ１００Ｃは，ユーザの操作に従って，ディスプレイ１０２にランキングの画面を切替ながら表示する。図２０〜図２２にはランキングの画面１０Ａ〜１０Ｄが例示される。ランキングの情報を表示するための画面は，複数枚の画面からなる。複数枚の画面は，階層構造に従って関連付けされており，表示するべき画面は階層構造に従って遷移させることができる。
　・・・（途中省略）・・・
[0208]　このようなユーザの操作に連動して切替られる画面について説明する。まず，
ユーザによりランキングの要求がされると，図２０の画面１０Ａが表示される。画面１０Ａの左下枠には，ランキングに従う消費電力量の多い方からの順位，すなわちワーストランク（ワースト１位〜ワースト３位）付けされた家電を一意に特定するための特定情報として機器名が，順位と関連付けて一覧表示される。画面１０Ａの他の領域には，他のコンテンツが表示される
[0209]　画面１０Ａのランキングの表示用データは，ランキング情報生成部３０３Ａにより生成される。具体的には，ランキング情報生成部３０３Ａは，消費電力量テーブル３０５Ａの各レコードＲの本日積算消費電力量３０５１のトータル３０６１を値が大きい順に従ってランキングする。ランキング結果に基づき，１位〜３位のレコードＲのそれぞれから読出した“機器名”に，順位付けすることにより，表示用データが生成される。
[0210]　
ユーザが，
画面１０Ａの左下枠を指定した状態でボタン１０４の“決定”ボタンを操作すると，表示画面は画面１０Ａから図２１の画面１０Ｂに切替わる
[0211]　
画面１０Ｂは，画面上部にワーストランキングの順位を指す“１”〜“１０”の数字の列が表示されて，その数字列の“１”が強調表示されている
[0212]　
画面１０Ｂの数字列の下段には，間取図が表示される。間取図上ではリビングのエアコンのマークが，拡大など強調のための所定態様で表示がされている
　・・・（途中省略）・・・
[0225]　一方，
画面１０Ｂの表示中に“→”キーが操作されると，次位のワーストランキング（２位）の家電の情報を表示するための画面１０Ｄに切替わる
[0226]　
画面１０Ｄでは，ワースト“２位”の書斎のエアコンについて画面１０Ｂと同様に表示処理がされる
ｅ．[図２０]
 
    　
ｆ．[図２１]
　
　画面１０Ｂには，左下枠にワーストランキングの一覧が表示され，他の領域には画面上部にワーストランキングの順位を示す数字列と，数字列の下段に間取図上で各家電機器の設置場所に前記機器を表すマークが表示され，リビングのエアコンのマークが拡大及び強調されて表示されている。
　　
ｇ．[図２２]
　
ｈ．以上のａ〜ｇの記載によれば，引用例１には以下の発明（以下，「引用発明」という。）が記載されているものと認められる。
「住宅やオフィスなどに設置されるネットワークシステム１であって，
　ネットワークシステム１は，
　リビングルームに設置されるエアコン２００Ａと，リビングルームに設置されるテレビ２００Ｂと，リビングルームに設置されるカーテン開閉装置２００Ｃと，キッチンに設置される冷蔵庫２００Ｄと，ダイニングルームに設置されるライト２００Ｅなどの家電（電気機器），太陽光発電装置２００Ｘ，バッテリー２００Ｙ，それらを制御するためのパワーコンディショナ２００Ｚと，家電２００Ａ〜２００Ｅ，太陽光発電装置２００Ｘ，バッテリー２００Ｙ，それらを制御するためのパワーコンディショナ２００Ｚなどを制御するためのホームコントローラ１００を含み，
　ホームコントローラ１００は，
　有線あるいは無線のネットワーク４０１を介して，家電２００Ａ〜２００Ｅ，太陽光発電装置２００Ｘ，バッテリー２００Ｙ，それらを制御するためのパワーコンディショナ２００Ｚなどとデータ通信が可能であり，
　ネットワーク４０１を介して，住宅に設置される複数の家電２００Ａ〜２００Ｅのそれぞれから，家電２００Ａ〜２００Ｅの消費電力や動作状態や入力された命令などを受信し，
　受信した家電２００Ａ〜２００Ｅの消費電力のデータを蓄積することによって，家電２００Ａ〜２００Ｅの消費電力量を所定期間にわたって累積加算し，累積加算した消費電力量の多い順に従って家電２００Ａ〜２００Ｅを順位付けし（以下，これをランキングという），ランキングの情報の画面を表示するものであり，
　ユーザによりランキングの要求がされると，画面１０Ａの左下枠には，ランキングに従う消費電力量の多い方からの順位，すなわちワーストランク（ワースト１位〜ワースト３位）付けされた家電を一意に特定するための特定情報として機器名が，順位と関連付けて一覧表示され，画面１０Ａの他の領域には，他のコンテンツが表示され，
　ユーザが，画面１０Ａの左下枠を指定した状態でボタン１０４の“決定”ボタンを操作すると，表示画面は画面１０Ａから画面１０Ｂに切替わり，画面１０Ｂは，他の領域において，画面上部にワーストランキングの順位を指す“１”〜“１０”の数字の列が表示されて，その数字列の“１”が強調表示され，画面１０Ｂの数字列の下段には，間取図上で各家電機器の設置場所に前記機器を表すマークが表示され，リビングのエアコンのマークが，拡大など強調のための所定態様で表示がされ，
　画面１０Ｂの表示中に“→”キーが操作されると，次位のワーストランキング（２位）の家電の情報を表示するための画面１０Ｄに切替わり，ワースト“２位”の書斎のエアコンについて同様に表示処理がされる，
　ネットワークシステム１。」
   　
（イ）原査定の拒絶の理由に引用された特開２００９−２５４９１６号公報（以下，「引用例２」という。）には，図面とともに，次の事項が記載されている。なお，下線は当審において付与したものである。
ａ．「【００３２】
　
レイアウト表示部３１には，遊技機島６０の形を模擬表示した遊技機島画像３４が店内での遊技機島６０の配置に習って配置されたレイアウト図が表示される
　・・・（途中省略）・・・
【００３６】
　
異常内容表示部３３には，マーク表示部３２に表示されている異常マーク４１に対応する異常の内容を示すメッセージがテロップを流すようにして順次表示される。
　・・・（途中省略）・・・
【００５４】
　さらに図８に示す
稼動状態監視画面３０ａでは，異常の内容が異常内容表示部３３に表示中の異常マーク４１に対応する異常の発生箇所をレイアウト図において識別可能に表示するようになっている。ここでは，異常発生箇所の遊技機島画像３４ａの色を特別な色にしている。色に代えて，点滅表示や，縁取りなどで識別表示してもよい
ｂ．以上のａの記載によると，引用例２には以下の技術（以下，「引用例２記載技術」という。）が記載されているものと認められる。
「レイアウト表示部３１には，遊技機島６０の形を模擬表示した遊技機島画像３４が店内での遊技機島６０の配置に習って配置されたレイアウト図が表示され，
　異常内容表示部３３には，マーク表示部３２に表示されている異常マーク４１に対応する異常の内容を示すメッセージがテロップを流すようにして順次表示され，
　動状態監視画面３０ａでは，異常の内容が異常内容表示部３３に表示中の異常マーク４１に対応する異常の発生箇所をレイアウト図において識別可能に表示するようになっており，異常発生箇所の遊技機島画像３４ａの色を特別な色，点滅表示や，縁取りなどで識別表示する技術。」
  　
（ウ）原査定の拒絶の理由に引用された特開２０１０−２７３４５７号公報（以下，「引用例３」という。）には，図面とともに，次の事項が記載されている。なお，下線は当審において付与したものである。
ａ．「【発明を実施するための形態】
【００１５】
　以下，本発明の実施の形態を説明する。図１は本発明の第１の実施の形態に係わる
広域分散型電力系統監視制御システム
電力系統監視制御装置１１から大型表示装置用計算機１６へ状変解析情報を連携することにより大型表示装置１５へ詳細情報を吹き出し表示２５
【００１６】
　
電力系統監視制御装置１８は
電力系統設備１４からの系統状態に基づいて系統の状態変化を解析し状変解析情報を状変解析変換処理手段２８に出力する。状変解析変換処理手段２８は，状変解析情報を発生時刻／所名番号／故障区分／設備番号／機器番号／計測器番号／解析結果番号へ変換し，送信処理手段２９は，広域ネットワーク回線１２を介して大型表示装置用計算機１６へ状変解析情報を送信する
【００１７】
　
大型表示装置用計算機１６は，
広域ネットワーク回線１２を介して電力系統監視制御装置１８から受信した状変解析情報を状変解析結果としてメッセージへデータ変換し，吹き出し表示処理手段３１は，大型表示装置１５の該当する吹き出し表示の座標へ吹き出し表示２５を表示する
ｂ．以上のａの記載によると，引用例３には以下の技術（以下，「引用例３記載技術」という。）が記載されているものと認められる。
「電力系統監視制御装置１１から大型表示装置用計算機１６へ状変解析情報を連携することにより大型表示装置１５へ詳細情報を吹き出し表示２５を行う分散型電力系統監視制御システムにおいて，
　電力系統監視制御装置１８は，電力系統設備１４からの系統状態に基づいて系統の状態変化を解析し状変解析情報を発生時刻／所名番号／故障区分／設備番号／機器番号／計測器番号／解析結果番号へ変換し，広域ネットワーク回線１２を介して大型表示装置用計算機１６へ状変解析情報を送信し，
　大型表示装置用計算機１６は，広域ネットワーク回線１２を介して電力系統監視制御装置１８から受信した状変解析情報を状変解析結果としてメッセージへデータ変換し，大型表示装置１５の該当する吹き出し表示の座標へ吹き出し表示２５を表示する技術。」
　
イ．対比
　補正発明１と引用発明を対比する。
（ア）補正発明１の「宅内に設置される複数の機器を制御するエネルギーマネジメントシステムについての情報を取得する取得部」との事項について
　引用発明の「住宅やオフィスなどに設置されるネットワークシステム１であって」及び「ネットワークシステム１は，リビングルームに設置されるエアコン２００Ａと，リビングルームに設置されるテレビ２００Ｂと，リビングルームに設置されるカーテン開閉装置２００Ｃと，キッチンに設置される冷蔵庫２００Ｄと，ダイニングルームに設置されるライト２００Ｅなどの家電（電気機器），太陽光発電装置２００Ｘ，バッテリー２００Ｙ，それらを制御するためのパワーコンディショナ２００Ｚと，家電２００Ａ〜２００Ｅ，太陽光発電装置２００Ｘ，バッテリー２００Ｙ，それらを制御するためのパワーコンディショナ２００Ｚなどを制御するためのホームコントローラ１００を含み」との事項によると，引用発明の「ネットワークシステム１」は，住宅に設置される各種家電機器，太陽光発電装置，バッテリー，パワーコンディショナ，及び，ホームコントローラから構成され，当該ホームコントローラによりこれらの各種機器が制御されるシステムであることから，引用発明の「ネットワークシステム１」は，補正発明１の「宅内に設置される複数の機器を制御するエネルギーマネジメントシステム」に相当するものである。
　また，引用発明の「ホームコントローラ１００」は，「有線あるいは無線のネットワーク４０１を介して，家電２００Ａ〜２００Ｅ，太陽光発電装置２００Ｘ，バッテリー２００Ｙ，それらを制御するためのパワーコンディショナ２００Ｚなどとデータ通信が可能であり」及び「ネットワーク４０１を介して，住宅に設置される複数の家電２００Ａ〜２００Ｅのそれぞれから，家電２００Ａ〜２００Ｅの消費電力や動作状態や入力された命令などを受信し」との事項によると，ネットワークを介して設置された各種機器から消費電力や動作状態などを受信する，すなわち取得するものであって，当該消費電力や動作状態は「ネットワークシステム１」，つまり「エネルギーマネジメントシステム」についての情報であることは明らかであるから，引用発明の「ホームコントローラ１００」は，補正発明１の「宅内に設置される複数の機器を制御するエネルギーマネジメントシステムについての情報を取得する取得部」を備えているといえる。
　そうすると，補正発明１と引用発明は，
「宅内に設置される複数の機器を制御するエネルギーマネジメントシステムについての情報を取得する取得部」
を備える点で一致する。
（イ）補正発明１の「第１の表示領域に，前記取得部により取得された情報を表示し，第２の表示領域に，前記宅内における前記機器の設置場所に前記機器を表す画像を配置したレイアウト図を表示する表示部」との事項について
　引用発明の「ホームコントローラ１００」は，「受信した家電２００Ａ〜２００Ｅの消費電力のデータを蓄積することによって，家電２００Ａ〜２００Ｅの消費電力量を所定期間にわたって累積加算し，累積加算した消費電力量の多い順に従って家電２００Ａ〜２００Ｅを順位付けし（以下，これをランキングという），ランキングの情報の画面を表示するものであり」，及び，「ユーザによりランキングの要求がされると，画面１０Ａの左下枠には，ランキングに従う消費電力量の多い方からの順位，すなわちワーストランク（ワースト１位〜ワースト３位）付けされた家電を一意に特定するための特定情報として機器名が，順位と関連付けて一覧表示され，画面１０Ａの他の領域には，他のコンテンツが表示され」及び「ユーザが，画面１０Ａの左下枠を指定した状態でボタン１０４の“決定”ボタンを操作すると，表示画面は画面１０Ａから画面１０Ｂに切替わり，画面１０Ｂは，他の領域において，画面上部にワーストランキングの順位を指す“１”〜“１０”の数字の列が表示されて，その数字列の“１”が強調表示され，画面１０Ｂの数字列の下段には，間取図上で各家電機器の設置場所に前記機器を表すマークが表示され，リビングのエアコンのマークが，拡大など強調のための所定態様で表示がされる」との事項によると，受信した各家電機器の消費電力データを累積加算して消費電力量の多い順に家電機器をランキング付けし，該ランキングの情報を画面の左下枠に表示するものであり，このランキングの情報は，「ホームコントローラ１００」が取得した情報に基づく情報であることから，これは補正発明１の「第１の表示領域に，前記取得部により取得された情報を表示し」に相当するものである。
　また，「ホームコントローラ１００」は，上記左下枠に対する他の領域に，間取図上で各家電機器の設置場所に前記機器を表すマークを表示するものであり，この間取図はいわゆる宅内のレイアウト図であり，また，機器を表すマークは一般に画像として表示されることから，これは補正発明１の「第２の表示領域に，前記宅内における前記機器の設置場所に前記機器を表す画像を配置したレイアウト図を表示する」に相当するものである。
　そして，「ホームコントローラ１００」は，上記左下枠と他の領域に上記の情報を表示する画面を備えるものである。
　そうすると，補正発明１と引用発明は，
「第１の表示領域に，前記取得部により取得された情報を表示し，第２の表示領域に，前記宅内における前記機器の設置場所に前記機器を表す画像を配置したレイアウト図を表示する表示部」
を備える点で一致する。
（ウ）補正発明１の「前記表示部は，前記第１の表示領域に表示される情報の中に，前記複数の機器のうちの特定の機器についての情報が含まれると判別した場合，前記第２の表示領域において前記特定の機器を表す画像を相対的に強調して表示するとともに，前記特定の機器を表す画像に，前記第１の表示領域に表示される前記特定の機器についての情報の概略内容を表すメッセージを結合させて表示する」との事項について
　引用発明の「ホームコントローラ１００」は，上記（イ）で示したように画面の左下枠に消費電力量の多い順のランキング情報を表示し，その他の領域にワーストランキングの順位を示す数字列を上部に，また，その数字列の下段に間取図上で各家電機器の設置場所に前記機器を表すマークを表示するものである。
　また，引用発明の「ホームコントローラ１００」は，「その数字列の“１”が強調表示され，画面１０Ｂの数字列の下段には，間取図上で各家電機器の設置場所に前記機器を表すマークが表示され，リビングのエアコンのマークが，拡大など強調のための所定態様で表示がされ，画面１０Ｂの表示中に“→”キーが操作されると，次位のワーストランキング（２位）の家電の情報を表示するための画面１０Ｄに切替わり，ワースト“２位”の書斎のエアコンについて同様に表示処理がされる」との事項によると，ユーザがその他の領域に表示されるワーストランキングの順位を示す数字列のうち，表示を所望するワーストランキングの数字を選択することにより，間取図上で各家電機器の設置場所に表示された前記機器を表すマークのうち，選択されたワーストランキングに対応する家電機器を，拡大など強調のための所定態様で表示するものである。
　してみれば，引用発明の「ホームコントローラ１００」は，画面のその他の領域において，間取図上で各家電機器の設置場所に表示された前記機器を表すマークのうち，選択されたワーストランキングに対応する家電機器を，拡大など強調のための所定態様で表示する点において，補正発明１の「前記第２の表示領域において前記特定の機器を表す画像を相対的に強調して表示する」と共通するとはいえるものの，当該強調して表示するための条件が，引用発明ではユーザによる選択であり，補正発明１では「前記第１の表示領域に表示される情報の中に，前記複数の機器のうちの特定の機器についての情報が含まれると判別した場合」である点で相違するものである。
　さらに，表示する内容として，補正発明１が「前記特定の機器を表す画像に，前記第１の表示領域に表示される前記特定の機器についての情報の概略内容を表すメッセージを結合させて表示する」点においても相違するものである。
　そうすると，補正発明１と引用発明は，
「前記表示部は，前記第２の表示領域において前記特定の機器を表す画像を相対的に強調して表示する」
点で共通するものの，
　補正発明１が，
「前記第１の表示領域に表示される情報の中に，前記複数の機器のうちの特定の機器についての情報が含まれると判別した場合」との表示のための条件を備えた上で，「前記第２の表示領域において前記特定の機器を表す画像を相対的に強調して表示するとともに，前記特定の機器を表す画像に，前記第１の表示領域に表示される前記特定の機器についての情報の概略内容を表すメッセージを結合させて表示する」点で相違する。
（エ）補正発明１の「端末装置」について
　引用発明の「ホームコントローラ１００」は，上記（ア）〜（ウ）で示したように，「ネットワークシステム１」を構成する各種機器を制御し，また，当該機器からの情報を受信し，住宅内の間取図を含めた各種情報を表示する画面と，ユーザからの入力を受け付けるものであることから，補正発明１の「端末装置」に相当するものといえる。
　そうすると，補正発明１と引用発明は，
「端末装置」
を備える点で一致する。
（オ）以上の（ア）〜（エ）によると，補正発明１と引用発明は以下の点で一致し，また，相違する。
（一致点）
「宅内に設置される複数の機器を制御するエネルギーマネジメントシステムについての情報を取得する取得部と，
　第１の表示領域に，前記取得部により取得された情報を表示し，第２の表示領域に，前記宅内における前記機器の設置場所に前記機器を表す画像を配置したレイアウト図を表示する表示部と，
　を備え，
　前記表示部は，前記第２の表示領域において前記特定の機器を表す画像を相対的に強調して表示する，
　端末装置。」
　　
（相違点）
　補正発明１では「前記第１の表示領域に表示される情報の中に，前記複数の機器のうちの特定の機器についての情報が含まれると判別した場合」との表示のための条件を備えた上で，「前記第２の表示領域において前記特定の機器を表す画像を相対的に強調して表示するとともに，前記特定の機器を表す画像に，前記第１の表示領域に表示される前記特定の機器についての情報の概略内容を表すメッセージを結合させて表示する」ものであるのに対し，引用発明ではユーザの選択に基づいて「前記第２の表示領域において前記特定の機器を表す画像を相対的に強調して表示する」というものである点。
　　　
ウ．判断
　上記相違点について検討する。
　引用例２における引用例２記載技術には，表示部に異常の内容を示すメッセージと，レイアウト図に異常の発生箇所の遊技機島画像の色を特別な色，点滅表示や，縁取りなどで識別表示する技術が，また，引用例３における引用例３記載技術には，状変解析情報を状変解析結果としてメッセージへデータ変換し，大型表示装置の該当する吹き出し表示の座標へ吹き出し表示する技術が示されているものの，どちらも補正発明１における「前記第１の表示領域に表示される情報の中に，前記複数の機器のうちの特定の機器についての情報が含まれると判別した場合」との表示のための条件については記載も示唆もない。
　また，表示態様として補正発明１の「前記第２の表示領域において前記特定の機器を表す画像を相対的に強調して表示する」ことが引用例２記載技術からも公知であり，また，引用例３記載技術のように大型表示装置の該当する吹き出し表示の座標へ吹き出し表示することが公知であるとしても，補正発明１では「第１の表示領域」に表示される内容と関連して「前記第１の表示領域に表示される前記特定の機器についての情報の概略内容を表すメッセージ」を表示するものであり，そもそも上記引用例３記載技術には補正発明１における「第１の表示領域」に相当するものが存在しないのであるから，上記引用例２記載技術及び引用例３記載技術を考慮したとしても，補正発明１の上記表示態様についての構成を導き出せるものではない。
　してみれば，引用発明に上記引用例２記載技術，及び引用例３記載技術を適用したとしても，上記相違点を当業者が容易に想到し得たものということはできない。
　したがって，補正発明１は，引用発明，引用例２記載技術，及び引用例３記載技術に基づいて，当業者が容易に発明をすることができたものとはいえない。
　よって，本件補正の補正事項１及び２は，特許法第１７条の２第６項において準用する同法第１２６条第７項の規定に適合する。
　
（２）請求項９について
　本件補正による補正事項３は，請求項９に記載した発明を特定するために必要な事項である「前記特定の機器についての情報」について，明細書の第【０１１３】，【０１３０】段落等の記載に基づき「前記第１の表示領域に表示される」ものであるとの限定を付加するものである。
　また，本件補正による補正事項４は，請求項９に記載した発明を特定するために必要な事項である「前記特定の機器についての情報に基づくメッセージ」について，明細書の第【０１１３】，【０１３０】段落等の記載に基づき，上記「基づく」との事項をより具体的な「概略内容を表す」ものであることに限定するものである。
　そして，本件補正前の請求項９に記載された発明と本件補正後の請求項９に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項９に記載された発明（以下，「補正発明９」という。）が特許法第１７条の２第６項において準用する同法第１２６条第７項の規定に適合するか（特許出願の際独立して特許を受けることができるものであるか）について以下に検討する。
ア．引用例
　上記第２．３．（１）ア．に示したとおりである。
   　
イ．対比
　補正発明９と引用発明を対比する。
　補正発明９は「エネルギーマネージメントシステム」であって，実質的に補正発明１の「端末装置」を含めて「エネルギーマネージメントシステム」としたものであることを考慮して対比すると，引用発明の「ネットワークシステム１」が補正発明９の「エネルギーマネージメントシステム」に相当し，その他補正発明１と同様に以下の点で相違するものである。
（相違点）
　補正発明９では「前記第１の表示領域に表示される情報の中に，前記複数の機器のうちの特定の機器についての情報が含まれると判別した場合」との表示のための条件を備えた上で，「前記第２の表示領域において前記特定の機器を表す画像を相対的に強調して表示するとともに，前記特定の機器を表す画像に，前記第１の表示領域に表示される前記特定の機器についての情報の概略内容を表すメッセージを結合させて表示する」ものであるのに対し，引用発明ではユーザの選択に基づいて「前記第２の表示領域において前記特定の機器を表す画像を相対的に強調して表示する」というものである点。
　
ウ．判断
　上記相違点について検討する。
　上記相違点については，補正発明１と同様の相違点であり，前記第２．３．（１）ウ．で示したように，引用発明に上記引用例２記載技術，及び引用例３記載技術を適用しても，上記相違点を当業者が容易に想到し得たものということはできない。
　したがって，補正発明９は，引用発明，引用例２記載技術，及び引用例３記載技術に基づいて，当業者が容易に発明をすることができたものとはいえない。
　よって，本件補正の補正事項３及び４は，特許法第１７条の２第６項において準用する同法第１２６条第７項の規定に適合する。
　
（３）請求項１０について
　本件補正による補正事項５は，請求項１０に記載した発明を特定するために必要な事項である「前記特定の機器についての情報」について，明細書の第【０１１３】，【０１３０】段落等の記載に基づき「前記第１の表示領域に表示される」ものであるとの限定を付加するものである。
　また，本件補正による補正事項６は，請求項１０に記載した発明を特定するために必要な事項である「前記特定の機器についての情報に基づくメッセージ」について，明細書の第【０１１３】，【０１３０】段落等の記載に基づき，上記「基づく」との事項をより具体的な「概略内容を表す」ものであることに限定するものである。
　そして，本件補正前の請求項１０に記載された発明と本件補正後の請求項１０に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項１０に記載された発明（以下，「補正発明１０」という。）が特許法第１７条の２第６項において準用する同法第１２６条第７項の規定に適合するか（特許出願の際独立して特許を受けることができるものであるか）について以下に検討する。
ア．引用例
　上記第２．３．（１）ア．に示したとおりである。
   　
イ．対比
　補正発明１０と引用発明を対比する。
　補正発明１０は「表示制御方法」であって，実質的に補正発明１の「端末装置」を「表示制御方法」としたものであることを考慮して対比すると，補正発明１と同様に以下の点で相違するものである。
（相違点）
　補正発明１０では「前記第１の表示領域に表示される情報の中に，前記複数の機器のうちの特定の機器についての情報が含まれると判別した場合」との表示のための条件を備えた上で，「前記第２の表示領域において前記特定の機器を表す画像を相対的に強調して表示するとともに，前記特定の機器を表す画像に，前記第１の表示領域に表示される前記特定の機器についての情報の概略内容を表すメッセージを結合させて表示する」ものであるのに対し，引用発明ではユーザの選択に基づいて「前記第２の表示領域において前記特定の機器を表す画像を相対的に強調して表示する」というものである点。
　
ウ．判断
　上記相違点について検討する。
　上記相違点については，補正発明１と同様の相違点であり，前記第２．３．（１）ウ．で示したように，引用発明に上記引用例２記載技術，及び引用例３記載技術を適用しても，上記相違点を当業者が容易に想到し得たものということはできない。
　したがって，補正発明１０は，引用発明，引用例２記載技術，及び引用例３記載技術に基づいて，当業者が容易に発明をすることができたものとはいえない。
　よって，本件補正の補正事項５及び６は，特許法第１７条の２第６項において準用する同法第１２６条第７項の規定に適合する。
  　
（４）請求項１１について
　本件補正による補正事項７は，請求項１１に記載した発明を特定するために必要な事項である「前記特定の機器についての情報」について，明細書の第【０１１３】，【０１３０】段落等の記載に基づき「前記第１の表示領域に表示される」ものであるとの限定を付加するものである。
　また，本件補正による補正事項８は，請求項１１に記載した発明を特定するために必要な事項である「前記特定の機器についての情報に基づくメッセージ」について，明細書の第【０１１３】，【０１３０】段落等の記載に基づき，上記「基づく」との事項をより具体的な「概略内容を表す」ものであることに限定するものである。
　そして，本件補正前の請求項１１に記載された発明と本件補正後の請求項１１に記載された発明の産業上の利用分野及び解決しようとする課題が同一であるから，特許法第１７条の２第５項第２号の特許請求の範囲の減縮を目的とするものに該当する。
　また，特許法第１７条の２第３項，第４項に違反するところはない。
　そこで，本件補正後の請求項１１に記載された発明（以下，「補正発明１１」という。）が特許法第１７条の２第６項において準用する同法第１２６条第７項の規定に適合するか（特許出願の際独立して特許を受けることができるものであるか）について以下に検討する。
ア．引用例
　上記第２．３．（１）ア．に示したとおりである。
   　
イ．対比
　補正発明１１と引用発明を対比する。
　補正発明１１は「プログラム」であって，実質的に補正発明１の「端末装置」を「プログラム」としたものであることを考慮して対比すると，補正発明１と同様に以下の点で相違するものである。
（相違点）
　補正発明１１では「前記第１の表示領域に表示される情報の中に，前記複数の機器のうちの特定の機器についての情報が含まれると判別した場合」との表示のための条件を備えた上で，「前記第２の表示領域において前記特定の機器を表す画像を相対的に強調して表示するとともに，前記特定の機器を表す画像に，前記第１の表示領域に表示される前記特定の機器についての情報の概略内容を表すメッセージを結合させて表示する」ものであるのに対し，引用発明ではユーザの選択に基づいて「前記第２の表示領域において前記特定の機器を表す画像を相対的に強調して表示する」というものである点。
　
ウ．判断
　上記相違点について検討する。
　上記相違点については，補正発明１と同様の相違点であり，前記第２．３．（１）ウ．で示したように，引用発明に上記引用例２記載技術，及び引用例３記載技術を適用しても，上記相違点を当業者が容易に想到し得たものということはできない。
　したがって，補正発明１１は，引用発明，引用例２記載技術，及び引用例３記載技術に基づいて，当業者が容易に発明をすることができたものとはいえない。
　よって，本件補正の補正事項５及び６は，特許法第１７条の２第６項において準用する同法第１２６条第７項の規定に適合する。
    　
４．むすび
　以上のとおりであるから，本件補正は，特許法第１７条の２第３項ないし第６項の規定に適合する。
  　
第３．本願発明
　本件補正は，上記のとおり，特許法第１７条の２第３項ないし第６項の規定に適合するから，本願の請求項１−１１に係る発明は，本件補正により補正された特許請求の範囲の請求項１−１１に記載された事項により特定されるとおりのものである。
　そして，本件補正により補正された請求項１に係る発明（補正発明１），請求項９に係る発明（補正発明９），請求項１０に係る発明（補正発明１０），及び請求項１１に係る発明（補正発明１１）は，上記第２．３．のとおり，当業者が引用発明，引用例２記載技術，及び引用例３記載技術に基づいて容易に発明をすることができたものではない。
　また，請求項１を直接または間接的に引用する請求項２−８は，補正発明１をさらに限定した発明であるから，同様に当業者が引用発明，引用例２記載技術，及び引用例３記載技術にに基づいて容易に発明をすることができたものではない。
　したがって，本願については，原査定の拒絶理由を検討してもその理由によって拒絶すべきものとすることはできない。
　また，他に本願を拒絶すべき理由を発見しない。
　　
　よって，結論のとおり審決する。